(57)【要約】      （修正有）【課題】コイルホルダ以外の空間を節約し、製品の小型化をする。【解決手段】筐体と、筐体内に収納される振動子２０、ステータ３０と、振動子を筐体に弾性支持する弾性部材とを備える振動モータであって、ステータはコイル３１と、コイルを筐体に支持するコイルホルダ３２とを含み、ここで、コイルホルダは支持板と、支持板の両端から曲げて延びる支持アームと、支持アームから曲げた支持脚とを含み、支持脚は支持板の対向面に位置する。【選択図】図２
2018057267.tif 000002
【特許請求の範囲】
【請求項１】
筐体と、筐体内に収納される振動子、ステータと、振動子を筐体に弾性支持する弾性部材とを備える振動モータであって、前記ステータはコイルと、コイルを前記筐体に支持するコイルホルダとを含み、前記コイルホルダは支持板と、当該支持板の両端から曲げて延びる支持アームと、当該支持アームから曲げた支持脚とを含み、当該支持脚は前記支持板の対向面に位置し、振動子には当該支持板を収容する空間が設けられ、振動子が部分的に支持板の間を通って振動し、
前記支持板の両側は前記支持アームの反対の面に向けて曲げられ、前記コイルは前記支持板の両側が前記支持アームの反対の面に向けて曲げられた部分の間に配置され、前記支持板に位置決めされており、
前記振動子は質量ブロックと、質量ブロック内に収納される、前記コイルと対面される磁性鋼を含み、
前記質量ブロックは第１の質量ブロックと第２の質量ブロックとを含み、前記磁性鋼は当該第１の質量ブロック内に収納される第１の磁性鋼と、第２の質量ブロック内に収納される第２の磁性鋼とを含み、前記第１の磁性鋼と第２の磁性鋼はそれぞれ前記コイルの両側に配置され、
前記第１の質量ブロックは前記第２の質量ブロックに固定されて接続されている、
ことを特徴とする、振動モータ。
【請求項２】
前記第２の質量ブロックは前記コイルホルダの支持アームを通って、当該支持アームの間に運動することを特徴とする、請求項１に記載の振動モータ。
【請求項３】
前記コイルは前記コイルホルダにより支持されて前記振動子内に配置される、ことを特徴とする、請求項２に記載の振動モータ。
【請求項４】
前記支持板両端の支持アームの間の距離は前記第２の質量ブロックの幅以上であり、当該支持アームの高さは当該第２の質量ブロックと第２の磁性鋼の厚み以上である、ことを特徴とする、請求項３に記載の振動モータ。
【請求項５】
前記支持脚は前記支持板の幅と同じであり、前記筐体に固定される、ことを特徴とする、請求項１に記載の振動モータ。
【発明の詳細な説明】
【技術分野】
【０００１】
本発明は振動モータに関する。
【背景技術】
【０００２】
振動モータは電磁力の発生原理により、電気エネルギーを機械的エネルギーに変換させる部材であり、無音の受信信号が発生するように、通常、振動モータは携帯電話等に取り付けられており、そのため、外部音声による他人への迷惑を防ぐ。振動モータは主に回転振動モータと直線振動モータに分けられ、そのうち、回転振動モータの場合は、重量がアンバランスのロータが回転するため、機械的振動が発生する。また、直線振動モータの場合は、モータが電磁力により振動し、直線に駆動するため、機械的振動が発生する。当該電磁力はばねとばねに掛けている振動子により確定される共振周波数を有する。
【０００３】
従来技術における振動モータは筐体と、筐体内に収納される振動子、ステータと、振動子を筐体に弾性支持する弾性部材、及び回路システムを備える。ステータはコイルと、コイルを筐体に支持するコイルホルダとを含み、コイルは回路システムに電気的に接続される。振動子は一般的に質量ブロックと質量ブロックに収納される磁性鋼からなる。磁性鋼はコイルの上にレビテーションする。コイル内の電流が変化した場合、磁性鋼は電流の影響により動力が発生し、質量ブロックを動かせる。振動モータが携帯電子製品において広く用いられ、携帯電子製品の進化として薄型化、小型化される傾向があるため、携帯電子製品内に組み込まれる各部材は空間においてコンパクト化される必要がある。市場に出回っている振動モータのコイルホルダはコイルホルダの外へ四つの支持脚が延びて、コイルの間に位置決めされるように設けられる場合、大量の空間を占め、当該製品の小型化に不利である。そのため、振動モータの大きさを変えるために、新たなコイルホルダを研究する必要がある。
【発明の概要】
【０００４】
本発明は空間を節約できる新たなコイルホルダの振動モータを提供することを目的とする。
【０００５】
本発明に係る振動モータは、筐体と、筐体内に収納される振動子、ステータと、振動子を筐体に弾性支持する弾性部材とを備え、前記ステータはコイルと、コイルを前記筐体に支持するコイルホルダとを含み、そのうち、コイルホルダは支持板と、当該支持板の両端から曲げて延びる支持アームと、当該支持アームから曲げた支持脚とを含み、当該支持脚は前記支持板の対向面に位置し、振動子には当該支持板を収容する空間が設けられ、振動子が部分的に支持板の間を通って振動する。
【０００６】
本発明のさらなる改良として、前記支持板の両側は前記支持アームの反対の面に向けてバッフルが曲げられ、前記コイルは当該バッフルの間に配置される。
【０００７】
本発明のさらなる改良として、前記振動子は質量ブロックと、質量ブロック内に収納される、前記コイルと対面される磁性鋼を含む。
【０００８】
本発明のさらなる改良として、質量ブロックは第１の質量ブロックと第２の質量ブロックとを含み、前記磁性鋼は当該第１の質量ブロック内に収納される第１の磁性鋼と、第２の質量ブロック内に収納される第２の磁性鋼とを含み、前記第１の磁性鋼と第２の磁性鋼はそれぞれ前記コイルの両側に配置される。
【０００９】
本発明のさらなる改良として、第２の質量ブロックは前記コイルホルダの支持アームを通って、当該支持アームの間に運動する。
【００１０】
本発明のさらなる改良として、コイルは前記コイルホルダにより支持されて前記振動子内に配置される。
【００１１】
本発明のさらなる改良として、支持板両端の支持アームの間の距離は前記第２の質量ブロックの幅以上であり、当該支持アームの高さは当該第２の質量ブロックと第２の磁性鋼の厚み以上である。
【００１２】
本発明のさらなる改良として、支持脚は前記筐体に固定される。
【００１３】
本発明に係る振動モータのコイルホルダに設けられる支持脚は当該コイルホルダの支持板の直下に配置され、支持板の直下の空間を合理的に利用し、コイルホルダ以外の空間を節約し、製品の小型化の設計に有利である。
【図面の簡単な説明】
【００１４】
図１は本発明に係る振動モータの分解斜視を示す模式図である。
図２は本発明に係る振動モータの模式図である。
図３は本発明に係るコイルホルダの斜視図である。
【発明を実施するための形態】
【００１５】
以下は添付図面を参照して、本発明を詳しく説明する。
【００１６】
図１、２及び３に示すように、本発明により提供されるリニア振動モータ１００であって、筐体１０と、前記筐体１０内に収納される振動子２０、ステータ３０と、弾性部材４０とを備える。前記筐体１０には前記ステータ３０を固定する底壁１１が設けられ、当該底壁には回線システム６０が設けられ、前記振動子２０は前記弾性部材４０によって前記筐体１０内にサスペンションされ、前記底壁１１に平行な方向に沿って振動する。
【００１７】
本実施形態において、前記振動子２０は質量ブロック２１と、前記質量ブロック２１の收容孔内に配置される磁性鋼２２と、前記質量ブロック２１に貼り付けられるポールピース５０とを含み、前記ステータ３０はコイル３１を含み、コイル３１はコイルホルダ３２により支持され底壁１１に固定され、前記コイル３１と磁性鋼２２は対面して隙間を隔てて配置される。無論、振動子２０は上記部材の組み合わせに限らず、リニア振動モータ１００においてコイル３１と磁性鋼２２との間の電磁誘導力により、筐体１０内に往復運動する部材は何れも振動子２０と称し良い。
【００１８】
その他の実施形態において、コイル３１と磁性鋼２２との機能は互換することができる。コイル３１を振動子２０とし、磁性鋼２２をステータ３０とし、磁性鋼２２を前記底壁１１に固定してもよい。また、質量ブロック２１とポールピース５０は何れも省略することができる。
【００１９】
本実施形態において、コイルホルダ３２は支持板３２０と、当該支持板３２０の両端から曲げて延びる一対の支持アーム３２１と、当該支持アーム３２１から曲げた支持脚３２２とを含み、当該支持脚３２２は前記支持板３２０の対向面に位置する。そのうち、支持アーム３２１は支持板３２０に垂直に延び、支持脚３２２は支持アーム３２１に垂直に延び、支持板３２０に平行に支持板３２０の直下に配置される。更に、支持脚３２２は支持板３２０の幅と同じであるように設けられ、支持脚３２２を安定して筐体に溶接固定し、コイルホルダ３２をしっかりと固定することに有利である。支持板３２０の両側は前記支持アーム３２１の反対の面に向けてバッフル３２３が曲げられ、コイル３１は当該バッフル３２３の間に配置され、支持板３２０に位置決めされている。
【００２０】
質量ブロック２１は第１の質量ブロック２１０と第２の質量ブロック２１１とを含み、第１の質量ブロック２１０は第２の質量ブロック２１１に固定されて接続され、磁性鋼２２は当該第１の質量ブロック２１０内に収納される第１の磁性鋼２２０と、第２の質量ブロック２１１内に収納される第２の磁性鋼２２１とを含み、当該第１の磁性鋼２２０と第２の磁性鋼２２１はそれぞれコイル３１の両側に位置され、第２の質量ブロック２１１は一対の支持アーム３２１の間に配置され、前記コイルホルダ３２の支持アーム３２１を通って、即ち、コイル３１は前記コイルホルダ３２により支持され、前記振動子２０内に配置される。そのうち、支持板３２０両端の支持アーム３２１の間の距離は前記第２の質量ブロック２１１の幅以上であり、当該支持アーム３２１の高さは当該第２の質量ブロック２１１と第２の磁性鋼２２１の厚み以上である。質量ブロック２１の運動方向は支持板３２０の両端の長さの方向に垂直し、そのうち、第２の質量ブロック２１１は二つの支持アーム３２１の間で運動する。
【００２１】
そのうち、コイル３１は振動子により形成された空間の中に配置される。即ち、コイルはコイルホルダ３２に支持されて質量ブロック２１内に配置される。当該振動モータ１００内においてコイル３１が占める空間が節約される。また、コイルホルダ３２の支持脚３２２は支持板３２０の直下に配置されることにより、振動子が部分的に支持部の間の空間を通って振動するようにし、支持板３２０の直下の空間を合理的に利用し、コイルホルダ３２以外の空間を節約し、製品の小型化の設計に有利である。
【００２２】
以上は本発明の実施形態に過ぎない。ここで明記することは、当業者にとって、本発明の主旨を逸脱しない範囲で改良することもできる。但し、これらも本発明の保護範囲に属している。
【図１】
2018057267.tif 000003
【図２】
2018057267.tif 000004
【図３】
2018057267.tif 000005